(57)【要約】本発明は建築用タイルに関し、その構造は様々な層を含む。下部シート（２,２′,２″）はセラミックまたは他の同類物から作製される耐久性基材からなり、上部薄片（１）は目視可能な表面を形成するシート（２）を含む。これらの層は中間均質層を定める接着剤により接合される。セラミック基材（２,２′,２″）の接触面の形状が凸状であり、その中心点が層の他の部分よりも高くなっているので、接着工程で気泡が存在せず、脆弱領域が形成されない。余分な接着剤が流れ出て隣接する別のタイルに固着することを防止するために、セラミックまたは同類物の基材（２′,２″）に周辺フランジ（５,５′）を設け、タイルを成形するエッジ形成段階でそのフランジを除去する。好ましくは、この周辺フランジ（５,５′）には、プレス工程を最適化するために、上部薄片（１）を中央合わせするためのいくつかの横方突出部すなわちストッパー６を設ける。
2005502800.tif 000002
【特許請求の範囲】
【請求項１】
複数の層を含む構造を有する建築用タイルであって、目視可能な表面材として上部薄片（１）および基材を定めるセラミックまたは同類物製の下部シート（２,２′,２″）を含み；上部薄片（１）および下部シート（２,２′,２″）は接着剤（３）で固着され、この接着剤（３）は気泡の無い均質な層を形成して、このセラミックまたは同類物製の基材（２′,２″）の接着面に、中心点が盛り上がり、残りの部分は辺縁に向かって低くなっているドーム型表面を付与することによって、接合体の弱化および脆弱領域の形成が回避されていることを特徴とする建築用タイル。
【請求項２】
基材（２,２′,２″）が粘土製のシートである請求項１記載の建築用タイル。
【請求項３】
基材（２,２′,２″）が、砂製、セメント製および上部薄片（１）よりも高い強度を有する材料よりなる群から選択される請求項１記載の建築用タイル。
【請求項４】
上部薄片（１）が木材から作製され、サンダー仕上げ、ニス仕上げ、樹脂仕上げ、染料仕上げ、木材に対して適正な仕上げおよびそれらの組合せよりなる群から選択される少なくともひとつの処理が施されている請求項１記載の建築用タイル。
【請求項５】
上部薄片（１）が複数の染色木材の積層である請求項１記載の建築用タイル。
【請求項６】
上部薄片（１）がプラスチック、布、天然物、皮およびそれらの組合せよりなる群から選択される少なくとも１つの材料から作製される請求項１記載の建築用タイル。
【請求項７】
上部薄片（１）が剛直であって、ガラス、金属、天然石およびそれらの組合せよりなる群から選択される少なくとも１つの材料から作製される請求項１記載の建築用タイル。
【請求項８】
基材薄片（２,２′,２″）が、タイルの最終等高線から突出して立ち上がる周辺フランジ（５,５′）を含み、この周辺フランジ（５,５′）は、薄片（１,２,２′,２″）をプレスするときに、接着剤として用いる材料に対する保持バリアとして作用する請求項１記載の建築用タイル。
【請求項９】
周辺フランジ（５,５′）が、プレスする間、上部薄片（１）を中心合わせするための中心合わせ手段として作用し、かつ、余分な接着剤（３）が容易に退避できるようにする複数の内部横方突出部（６）を有する請求項８記載の建築用タイル。
【請求項１０】
中心合わせ用の横方突出部（６）が、上部薄片（１）との接触端部において狭く丸まった構成を有する請求項９記載の建築用タイル。
【発明の詳細な説明】
【技術分野】
【０００１】
本発明は、床張りおよび上張り用の新建築材を含む建築用タイルに関し、このタイルは、何らかの種類の表面シートをそれよりも強度の高いセラミックまたはその同類物製の基材の上に中実接合して得られる。得られた製品は建築分野において産業上の利用があり、両材料の長所を合わせ持ち、セラミック固有の技術的特徴を有しつつ、上張りおよび床張りに、木材のごとき天然物、プラスチックス、ガラス、金属、布または天然素材、皮等を使用することを可能にする。適所にタイルを配列して、セラミック製の基材によって付与されるより高い堅牢性および可塑性に加えて、取り扱い易さに起因する技術的な利点を有しつつ、目視可能な薄片の美観および特徴のみが認識されるようにする。
本発明はセラミックス分野において特別なアプリケーションがあり、それは同じ目的の従来製品に対して顕著な利点を有する。
【背景技術】
【０００２】
太古から、建築に木材が用いられてきたが、床張りや上張りに用いられるようになったのはもっと後のことである。木材は生産に限界のある天然資源であるため、木材製品は、常にまたは常習的に、そのアプリケーション用のより中実な基材として機能する木または繊維の積層に天然木材の薄層を接合して作製される。このように、薄層自体の寸法よりも大きな寸法のボードが得られ、または特定の長さの床張り（寄木張り）が達成される。
【０００３】
上記のいずれかの場合、木材は常に生活素材に転換され、今度は、それがその構造に欠陥を生じ、その安定性に欠点を与える。より一層安定かつ不変な木材繊維の基材を作製するために、この問題が調査されてきた。
【０００４】
外観を天然の上質製品に似せたセラミックタイルを得ることはセラミックス分野で普及したやり方であって、建築材料としてセラミックの汎用性を持つ材料に近づけようと試みることは、木材分野での慣習的なやり方であるので、本発明の提供する建築用タイルは両方の目的に合致し、両分野の利点を持つ製品を与える。
【０００５】
当該技術分野の現状では、本発明の製品のような技術的品質を有する木製のタイルもスラブもボードも知られていない。本発明によれば、木材の場合、現在は配列するための専門家が必要とされるような製品でも簡単によく知られた方法で配列することができる。
【発明の開示】
【発明が解決しようとする課題】
【０００６】
概略的には、本発明の目的を構成する建築用タイルは、上質薄片（表面材）およびセラミック製の薄片またはシート（基材）の中実接合によって、そのままの状態で存在する二つの材料を接合し重ね合わせて得られた、床張りまたは上張り用の製品である。
【０００７】
上記のタイル、スラブまたはボードは、その特徴が市場で存在し得る寸法に左右されないため、主にセラミック製のコンパクトな基材に中実に接合される表面層を提供する。
【課題を解決するための手段】
【０００８】
森林から木材を伐採した後、その分野の慣行的な使用に応じた良質の薄片に裁断する。同様に、セラミック基材を、目的に応じて必要とされる硬度および形状の粘土混合物を高温焼成により得、次いで適当な糊または同様の接着系によって木製薄片をその上に接着する。
【０００９】
そのままの状態で存在する両材料を接合して新規製品を得た後、これを木工分野の慣行的使用（サンダー掛け、補正、ニス仕上げ等）に応じて、市場に出すのに適度なサイズの床張りおよび上張り用タイルに処理する。最終製品の厚みや寸法を変更することが可能であり、慣行的な切断および加工を行って、床や壁に配列するタイル用のサイズにする。
【００１０】
作製プロセスを体系的に以下にまとめる。
当該分野の慣行的使用に応じた木製薄片または同類物の取得。
セラミックス分野の慣行に応じたセラミック製の薄片または基材の取得。
木製薄片（表面材）とセラミック製の薄片（基材）との中実接合。
建築における床張りおよび上張りにおいて機能することを意図したサイズの新規タイルを取得するための木材分野での慣行的使用に応じた前記接合体からの新規製品の切断および処理。
【００１１】
本発明の目的を構成するタイルの産業上の生産および利用から、とりわけ、以下の技術的利点が生じる：
構造的安定性を達成するためにほとんど木を用いないので、木材派生物の使用を相当節約し、それに伴い天然環境および森林に対して木材生産が有する環境インパクトに影響を与えること。
外観が完全に天然木であるタイルを取得し、床張りおよび上張り用のタイルに要求される強度および中実性を損失することなく天然資源の使用を低減しつつ、現行の製造能力を増強すること。
張替え、持ち運びおよび適所に配列することの困難性に関して、このタイルが伴う全てについてのより高い作業性および可塑性。
適所に配列した後、その全体として見えるものは天然木であり、それは、木材と他の物質または製品との混合物を含み、天然木の美しさおよび優雅さを決して外面に出すことのない既存の他の製品とは異なって、その後、および経時劣化した後、それ自体を処理できること。
【００１２】
かくして、本発明の産業上の利用は、明らかにそれ自体の性質から得られる。
【００１３】
セラミック基材と上張りシートとを適切に接合するためには、均一であり、接合を弱化し脆弱領域を生じる気泡が存在しない接着剤分布を達成することが必要である。
【００１４】
中心点または中央領域が盛り上がり、残りの部分はタイルの辺縁に向かって低くなっていることを特徴とする特別な構成をセラミック支持体の接着面に付与するのが必要であることが経験的に証明されている。
【００１５】
ドーム状または凸面構成は余分な接着剤をタイルの辺縁から押し出し、かくして、長期的には破損点となる気泡および／または糊付けされていない領域の形成を回避するように中央から外側へ接着剤を排除するので、プレス工程で空気を上手く追い出すためには上記の構成が必要である。
【００１６】
余分な接着剤がタイルの複層構造により定められるサンドイッチからはみ出さないようにするため、タイルが最終的に有するべきサイズから突出する周辺フランジがセラミックまたは考え得る材料の基材に設けられる。周辺フランジは、上部すなわち表面シートおよび下部の耐久性セラミック基材の２つの構成要素片をプレスするのに用いられる、糊または接着剤用の保持バリアを定める。このように、接着剤はそのタイルから飛び出さないので、すでに仕上げたタイルを隣接するタイルに固着しないようにするのと同時に、接着剤のより良好な分布が達成される。タイルの特徴はそのタイルが市場で有し得る寸法とは無関係なので、このタイルを加工して床張りまたは上張り用ならびにスラブまたはボード形成用サイズのタイルを作製するときに、この周辺フランジは完全に除去される。
【００１７】
本発明によれば、上部薄片の辺縁から周辺フランジをさらに引き出し、上部すなわち上張り薄片の中心合わせ用ストッパーを定めるフランジから延在するいくつかの内部横方突出部を有するという、プレスするときの糊付け段階を改善する対策も講じられる。これらのストッパーはプレス工程中の上部薄片の動きを防止する。
【００１８】
これらの中心合わせ手段を存在させるもう一つの目的は、プレス工程中に容易に撤退または退出できる場所を捜し求める余分な糊のための簡便な非難領域を設けることにある。
【００１９】
中央合わせ突出部は有利には上部すなわち目視可能な薄片との接触端に向かって狭くなる構成を有し、この末端は有利にはわずかに触れるだけの接触を形成して、余分な接着剤の退出を妨げないので、この余分な接着剤は、不必要に上昇する余分な接着剤がない表面を必要とすることが全くなくても、中心合わせ周辺突出部の間にある空間に何ら支障なく入り込める。
【００２０】
本発明の特徴の理解を容易にし、本明細書と一体化させるために、いくつかの図面を添付した。これらの図面は単に例示的なもので、本発明を限定するものではない。
【発明を実施するための最良の形態】
【００２１】
図面に付与された符号を参照すれば、上記したごとく、材質の実際の堅牢性およびそれを非常に興味深いものにする適所への貼り付けの両方における一連の技術的利点の貢献はあるものの、本発明による建築用タイルが、いかにして従来技術の課題に取り組み、それを解決して、床張りまたは上張りとして適所に配列された後で、木自体を配列すれば得られるであろう外観と同じ外観の新規製品を得たかが分かる。
【００２２】
本発明の目的は、建築用の床張りおよび上張りの製造に関する２つの工業分野に関し、それらを結び付ける。それらの２つの工業分野とは、いずれも広く用いられ、それらの調製に用いられる原材料に大きな違いのあるセラミックス分野および木材分野である。
【００２３】
本発明のタイルは、クルミ、サクラ、マツ等のごとき天然木材の上張り１と、基材となるセラミック製の薄片すなわちシート２とからなる。
引用符３は両材料を完全に張り合わせるために用いられる接着剤を示す。
上張り薄片１の目視可能な表面には、公知のニスおよび製品が施されたとき、高い耐久性、ノンスリップ品質、高い審美レベルを付与する特性の符号４で引用される薄層を形成する従来処理がされている。
【００２４】
この構造は、木材のみで作製された厚板で処理したときと同様の床仕上げを可能にする。
【００２５】
基材２はセラミック材料とはみなされない粘土製の薄片すなわちシートからも形成し得る。それは、砂またはセメント製のシートからも形成し得る。
【００２６】
上張り薄片１は、天然木材で作製する代わりに、種々の着色木材の積層や、さらには、上記の通り、木材に代わる他の材料によっても作製できる。実際に、シート形態で上張りまたは床張りとして用いることができるであろういかなる材料によっても作製できる。
【００２７】
図２は２′で引用される四角形セラミック基材を示す。図１に概略的に示されたものと異なり、これはドーム状表面を有し、中心から離れるにしたがって低くなっていることが、いくつかの同心円状の等高線で示されている。これによって、上張り薄片１との接着面にドーム面が得られ、タイルを作製する際に気泡を発生させずに余分な糊３を排除する。図３では、基材２′を定めるセラミック支持体表面のドーム形状がより簡単に視認できる。
【００２８】
次に、図４および５を特に参照すると、セラミック基材２′、すなわち支持体として用いる材料の周辺フランジが数字５で引用されていることが視認され、薄片１および２をプレスするときにタイルの薄片１および２および接着層３のサンドイッチから余分な接着剤がはみ出さないように用いられる、糊または樹脂３に対する保持バリアが決定される。このように、接着剤がそのタイルから飛び出さないので、互いに隣接するタイル同士が固着しないように防止するのと同時に、接着剤の良好な分布が達成される。
【００２９】
周辺フランジ５は、前記した通り、タイルを適合させて床張りまたは上張り用サイズのタイルを作製するときに、完全に除去される。
【００３０】
図６および７では、セラミック基材または同等物２″の周辺バリアすなわちフランジ５′から突き出す中心合わせ用突出部６が視認される。この突出部６は、上張り薄片１を中心合わせして、その中に配置させ、プレス段階で上張り薄片１が動かないようにするストッパーとして機能する。
【００３１】
接尾辞「′」および「″」が、周辺フランジおよびセラミック基材または同類物を示す引用数字に付されているが、これは、前記修飾物に含まれる同様な部分に対応するからである。
【００３２】
図７をよくみれば分かるように、周辺フランジ５′の横方突出部６の間には、充分な空間が形成され、プレス過程の間に余分な糊または接着剤３を収容する。
【００３３】
上部薄片１との接触端において、横方突出部６は上部薄片と接触し、そのアーチ状または丸い末端の一般的に狭い形状による母線に沿って前記上部薄片を正確にガイドして、余分な接着剤３の押し出しを容易にする。このタイプのプレハブ部分２″を搭載するのにはこのアーチ形状が最も適している。
【００３４】
乾燥時間が終了したならば、端面が完全にきれいなるように、周辺フランジ５′および横方突出部６ならびに余分な接着剤３を含む余分な部分を加工する段階に建築用タイルを送る。
【図面の簡単な説明】
【００３５】
【図１】本発明による建築用タイルの部分的概略図。
【図２】同一タイルのセラミック支持体の上面図。
【図３】セラミック支持体のドーム形状を示すためのタイル端部の拡大図。
【図４】塗布された接着剤のための保持フランジを含むセラミック支持体の
【図５】突出するフランジを切断する前の図３と同様の図。
【図６】プレス時の余分な糊のための周辺リブすなわち保持バリアの内壁から突き出た、上部または上張りシート用の中央合わせ突出部を含む建築用タイルの部分的断面側面図。
【図７】図６に示したものの上面図。
【国際公開パンフレット】
2005502800.tif 000003
2005502800.tif 000004
2005502800.tif 000005
2005502800.tif 000006
2005502800.tif 000007
2005502800.tif 000008
2005502800.tif 000009
2005502800.tif 000010
2005502800.tif 000011
2005502800.tif 000012
2005502800.tif 000013
2005502800.tif 000014
2005502800.tif 000015
2005502800.tif 000016
2005502800.tif 000017
2005502800.tif 000018
【国際公開パンフレット（コレクトバージョン）】
2005502800.tif 000019
2005502800.tif 000020
【国際調査報告】
2005502800.tif 000021
2005502800.tif 000022
2005502800.tif 000023
2005502800.tif 000024